【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
有機発光ダイオード（ＯＬＥＤ）発光層と、
第１の層と第２の層との間にあるナノ構造化境界面であって、前記第２の層は、前記第１の層と前記ＯＬＥＤ発光層との間に配置されており、前記第１の層は、第１の屈折率を有し、前記第２の層は、少なくとも１．４である第２の異なる屈折率を有し、前記ナノ構造化境界面は、前記ＯＬＥＤ発光層のエバネッセント領域の外部に近接して配置されており、前記ナノ構造化境界面は、実質的に方位対称のパワースペクトル密度ＰＳＤを有し、波数ＰＳＤ積が６ラジアン／マイクロメートルに前記第２の屈折率を乗じたものより大きい波数で最大値を有する、ナノ構造化境界面と、
を備える有機発光ダイオード（ＯＬＥＤ）ディスプレイであって、
６ラジアン／マイクロメートルに前記第２の屈折率を乗じたもの未満のすべての波数については、前記波数ＰＳＤ積は、前記最大値の０．３倍以下である、有機発光ダイオード（ＯＬＥＤ）ディスプレイ。
【請求項２】
前記パワースペクトル密度は、６ラジアン／マイクロメートルに前記第２の屈折率を乗じたもの未満のすべての波数については、前記パワースペクトル密度の最大値の０．３倍以下である、請求項１に記載のＯＬＥＤディスプレイ。
【請求項３】
前記パワースペクトル密度は、１３ラジアン／マイクロメートルに前記第２の屈折率と０．８との和を乗じたものより大きい少なくとも１つの波数については、前記パワースペクトル密度の最大値の少なくとも０．１倍である、請求項１に記載のＯＬＥＤディスプレイ。
【請求項４】
平均画素間隔を有し、前記ナノ構造化境界面の最も近い隣接するピーク間の平均間隔は、前記平均画素間隔の０．１倍未満である、請求項１に記載のＯＬＥＤディスプレイ。
【請求項５】
前記ＯＬＥＤ発光層は、複数の有色サブ画素を含み、前記有色サブ画素は、最短中心波長λａ、最長中心波長、及び中間中心波長を有し、前記第２の屈折率はｎ２であり、１．６π  ｎ２／λａ未満のすべての波数について、前記波数ＰＳＤ積は前記最大値の０．３倍以下であり、２．２π（ｎ２＋０．９）／λａより大きいすべての波数について、前記波数ＰＳＤ積は前記最大値の０．３倍以下である、請求項１に記載のＯＬＥＤディスプレイ。
【請求項６】
前記第２の屈折率は、少なくとも１．６であり、前記ナノ構造化境界面は、前記境界面の平均変位からの変位のばらつきＶａｒを有し、波数ゼロを中心とするフーリエ空間における円であって、９ラジアン／マイクロメートルに前記第２の屈折率を乗じた半径を有する円に含まれ、かつ前記円により境界を定められた領域にわたるＰＳＤの第１の積分は、Ｖａｒの４倍以下である、請求項１に記載のＯＬＥＤディスプレイ。
【請求項７】
前記ＯＬＥＤ発光層と前記ナノ構造化境界面との間に配置された内層を更に備え、
前記ディスプレイが完全に点灯した場合には、前記ディスプレイの法線に対する観視角がゼロ度の際の前記ＯＬＥＤ発光層からの第１の光出力は、前記内層では第１の色を有し、前記ディスプレイの外部では第２の色を有し、前記ディスプレイの前記法線に対する観視角が４５度の際の前記ＯＬＥＤ発光層からの第２の光出力は、前記内層では第３の色を有し、前記ディスプレイの外部では第４の色を有し、前記第１及び前記第３の色は、前記第１の色と前記第３の色との間において第１の色度距離を有し、前記第２及び前記第４の色は、前記第２の色と前記第４の色との間において第２の色度距離を有し、前記ナノ構造化境界面は、前記第２の色度距離が前記第１の色度距離の０．７５倍未満であるように構成されている、請求項１に記載の有機発光ダイオード（ＯＬＥＤ）ディスプレイ。
【請求項８】
有機発光ダイオード（ＯＬＥＤ）発光層と、
前記ＯＬＥＤ発光層に近接して配置されたナノ構造化境界面と、
前記ＯＬＥＤ発光層と前記ナノ構造化境界面との間に配置された内層と、を備える有機発光ダイオード（ＯＬＥＤ）ディスプレイであって、
前記ディスプレイが完全に点灯した場合には、前記ディスプレイの法線に対する観視角がゼロ度の際の前記ＯＬＥＤ発光層からの第１の光出力は、前記内層では第１の色を有し、前記ディスプレイの外部では第２の色を有し、前記ディスプレイの前記法線に対する観視角が４５度の際の前記ＯＬＥＤ発光層からの第２の光出力は、前記内層では第３の色を有し、前記ディスプレイの外部では第４の色を有し、前記第１及び前記第３の色は、前記第１の色と前記第３の色との間において第１の色度距離を有し、前記第２及び前記第４の色は、前記第２の色と前記第４の色との間において第２の色度距離を有し、前記ナノ構造化境界面は、前記第２の色度距離が前記第１の色度距離の０．７５倍未満であるように構成されている、有機発光ダイオード（ＯＬＥＤ）ディスプレイ。
【請求項９】
有機発光ダイオード（ＯＬＥＤ）発光層と、
２つの隣接する層の間にあるナノ構造化境界面であって、前記ナノ構造化境界面は、前記ＯＬＥＤ発光層のエバネッセント領域の外部に近接して配置されており、前記ナノ構造化境界面は、実質的に方位対称のパワースペクトル密度を有する、ナノ構造化境界面と、
を備える有機発光ダイオード（ＯＬＥＤ）ディスプレイであって、
前記ナノ構造化境界面は、前記ＯＬＥＤ発光層に直交する観視方向では、前記ＯＬＥＤ発光層からの光を実質的に回折透過させないように構成されており、前記ナノ構造化境界面は、法線に対して１０度より大きい角度での少なくとも一部の観視方向では、前記ＯＬＥＤ発光層からの光を回折透過させるように構成されている、有機発光ダイオード（ＯＬＥＤ）ディスプレイ。
【請求項１０】
有機発光ダイオード（ＯＬＥＤ）発光層と、
第１の層と第２の層との間にあるナノ構造化境界面であって、前記第２の層は、前記第１の層と前記ＯＬＥＤ発光層との間に配置されており、前記第１の層は、第１の屈折率を有し、前記第２の層は、第２の異なる屈折率を有し、前記第２の屈折率が少なくとも１．６であるナノ構造化境界面と、を備える有機発光ダイオード（ＯＬＥＤ）ディスプレイであって、
前記ナノ構造化境界面は、前記ＯＬＥＤ発光層のエバネッセント領域の外部に近接して配置されており、前記ナノ構造化境界面は、前記境界面の平均変位からの変位のばらつきＶａｒと、実質的に方位対称のパワースペクトル密度ＰＳＤと、を有し、
波数ゼロを中心とするフーリエ空間における円であって、９ラジアン／マイクロメートルに前記第２の屈折率を乗じた半径を有する円により境界を定められた領域にわたるＰＳＤの第１の積分は、Ｖａｒの４倍以下である、有機発光ダイオード（ＯＬＥＤ）ディスプレイ。
【請求項１１】
フーリエ空間における２次元円環にわたる前記ＰＳＤの第２の積分は、（２π）２  Ｖａｒの０．８〜１．０倍であり、前記円環は、９ラジアン／マイクロメートルに前記第２の屈折率を乗じた内側波数と、１６ラジアン／マイクロメートルに前記第２の屈折率と０．９との和を乗じた外側波数と、を有する、請求項１０に記載のＯＬＥＤディスプレイ。
【請求項１２】
前記ＯＬＥＤ発光層は、複数の有色サブ画素を含み、前記有色サブ画素は、最短中心波長λａ、最長中心波長、及び中間中心波長を有し、フーリエ空間における２次元円環にわたる前記ＰＳＤの第２の積分が、（２π）２  Ｖａｒの０．８〜１．０倍であり、前記円環は、１．８π  ｎ２／λａから２π  ｎ２／λａの範囲にある内側波数と、２π（ｎ２＋０．９）／λａから２．２π（ｎ２＋０．９）／λａの範囲にある外側波数と、を有し、ｎ２は、前記第２の屈折率である、請求項１０に記載のＯＬＥＤディスプレイ。
【請求項１３】
封止された有機発光ダイオード（ＯＬＥＤ）発光層を準備するステップと、
前記封止されたＯＬＥＤ発光層の上に光学積層体を配置するステップであって、前記光学積層体は、連続する第１の層と第２の層との間にあるナノ構造化境界面を含み、前記第２の層は、前記第１の層と、前記封止されたＯＬＥＤ発光層との間に配置されており、前記第１の層は、第１の屈折率を有し、前記第２の層は、第２の異なる屈折率を有し、前記光学積層体は、前記ＯＬＥＤディスプレイからの光出力の観視角による色のばらつきを低減するように構成されている、ステップと、
を含み、
前記ナノ構造化界面は実質的に方位対称のパワースペクトル密度を有する、有機発光ダイオード（ＯＬＥＤ）ディスプレイにおける観視角による色のばらつきを低減する方法。
【請求項１４】
前記ＯＬＥＤ発光層は、複数の有色サブ画素を含み、前記配置するステップは、前記光学積層体を準備するステップを含み、前記準備するステップは、
前記ＯＬＥＤ発光層のゼロ観視角において特性波長を決定するステップと、
前記ＯＬＥＤ発光層の光出力を色補正することなく保存することが望ましい、前記ＯＬＥＤ発光層の最大観視角を決定するステップと、
中心波長を前記第２の屈折率と前記最大観視角の正弦との和で除したものとして、長さスケールを決定するステップと、
ゼロ波長を中心とするフーリエ空間における円であって、６ラジアンを前記長さスケールで除した半径を有する円に含まれ、かつ前記円により境界を定められた領域にわたる、前記ナノ構造化境界面の前記パワースペクトル密度の積分が、前記ナノ構造化境界面の平均変位からの変位のばらつきの４倍以下であるように、前記ナノ構造化境界面を形成するステップと、
を含む、請求項１３に記載の方法。
【請求項１５】
前記有色サブ画素は、最短中心波長、最長中心波長、及び中間中心波長を有し、前記特性波長は前記最短中心波長であり、フーリエ空間における２次元円環にわたる前記パワースペクトル密度の積分は、前記ナノ構造化境界面の平均変位からの変位のばらつきの（２π）２倍の０．８〜１．０倍であり、前記円環は、少なくとも１．６πに前記第２の屈折率を乗じ、前記最短中心波長で除したものである内側波数と、２．２πを前記最短中心波長で除し、前記第２の屈折率と０．９との和を乗じたもの以下である外側波数と、を有する、請求項１３に記載の方法。